(57)【要約】携帯電子デバイス（２２）のユーザに対して対話型活動プログラムを供給するための方法、システム、装置、及び、コンピュータプログラムが提供される。携帯電子デバイス（２２）は、無線通信ネットワーク（２０）を用いてデータネットワークに接続される。データネットワークから受信する対話型活動プログラムが携帯電子デバイス（２２）に供給される。対話型活動プログラムは地理的な場所に関連付けられる。
2009504082.tif 000002
【特許請求の範囲】
【請求項１】
携帯電子デバイスであって、
無線ネットワークを用いて、データネットワークと通信を行う送受信機と、
前記データネットワークから受信された、地理的な場所に関連付けられた対話型活動プログラムを前記携帯電子デバイスに供給する対話型プログラム回路と
を備えることを特徴とする携帯電子デバイス。
【請求項２】
前記対話型プログラム回路は、さらに
前記携帯電子デバイスのユーザからの指示に応じて前記対話型活動プログラムを変更することを特徴とする請求項１に記載の携帯電子デバイス。
【請求項３】
前記指示は、音声コマンド及び手動コマンドの少なくとも１つを含み、
前記対話型プログラム回路は、さらに、リアルタイムで前記指示に応じて前記対話型活動プログラムを変更することを特徴とする請求項２に記載の携帯電子デバイス。
【請求項４】
前記対話型プログラム回路は、さらに、
前記携帯電子デバイスのユーザと関連付けられたデータを取得し、
前記取得したデータに基づいて前記ユーザへのプログラムを生成することを特徴とする請求項１に記載の携帯電子デバイス。
【請求項５】
前記対話型活動プログラムは、前記ユーザのエクササイズ・ルーチンに関連付けられ、
前記取得したデータは、前記エクササイズ・ルーチンのゴール、前記エクササイズ・ルーチンの行路及び位置の少なくとも１つ、前記エクササイズ・ルーチンのエクササイズ・セッションに関連付けられた距離情報、前記エクササイズ・セッションのいずれか１つに関連付けられた継続時間、前記エクササイズ・セッションのいずれか１つに関連付けられた燃焼した熱量、及び、前記エクササイズ・セッションのいずれか１つに関連付けられた日誌記録の少なくとも１つを含むことを特徴とする請求項４に記載の携帯電子デバイス。
【請求項６】
前記生成されたプログラム及び前記取得されたデータの少なくとも１つは、前記携帯電子デバイスの中で及び前記データネットワークでの少なくとも一方でメモリに記憶され、
前記メモリは、前記対話型活動プログラムに関連付けられていることを特徴とする請求項５に記載の携帯電子デバイス。
【請求項７】
前記携帯型プログラム回路は、さらに、
音声及び映像の少なくと一方で、地理的な場所に関連付けられた、教育の対話型活動プログラム及び娯楽の対話型活動プログラムの少なくとも１つを供給することを特徴とする請求項１に記載の携帯電子デバイス。
【請求項８】
携帯電子デバイスのユーザに対話型活動プログラムを供給するための方法であって、
無線通信ネットワークを用いて前記携帯電子デバイスをデータネットワークに接続するステップと、
前記データネットワークから受信された、地理的な場所に関連付けられた対話型活動プログラムを前記携帯電子デバイスに供給するステップと
を含むことを特徴とする方法。
【請求項９】
前記携帯電子デバイスのユーザからの指示に応じて前記対話型活動プログラムを変更するステップさらに含むことを特徴とする請求項８に記載の方法。
【請求項１０】
前記指示は、音声コマンド及び手動コマンドの少なくとも１つを含み、
前記対話型活動プログラムを変更する前記ステップは、さらに、リアルタイムで前記指示に応じて前記対話型活動プログラムを変更するステップを含むことを特徴とする請求項９に記載の方法。
【請求項１１】
前記携帯電子デバイスは、第１の携帯電子デバイスを含み、
前記無線通信ネットワークを用いて、少なくとも第２の携帯電子デバイスを前記データネットワークに接続するステップと、
前記第１の携帯電子デバイス及び前記少なくとも第２の携帯電子デバイスに対して、前記データネットワークから前記対話型活動プログラムを同時に供給するステップと
をさらに含むことを特徴とする請求項８に記載の方法。
【請求項１２】
前記対話型活動プログラムを供給する前記ステップは、
前記携帯電子デバイスのユーザと関連付けられたデータを取得するステップと、
前記取得したデータに基づいて前記ユーザへのプログラムを生成するステップと
を含むことを特徴とする請求項８に記載の方法。
【請求項１３】
前記対話型活動プログラムは、前記ユーザのエクササイズ・ルーチンに関連付けられ、
前記取得したデータは、前記エクササイズ・ルーチンのゴール、前記エクササイズ・ルーチンの行路及び位置の少なくとも１つ、前記エクササイズ・ルーチンのエクササイズ・セッションに関連付けられた距離情報、前記エクササイズ・セッションのいずれか１つに関連付けられた継続時間、前記エクササイズ・セッションのいずれか１つに関連付けられた燃焼した熱量、及び、前記エクササイズ・セッションのいずれか１つに関連付けられた日誌記録の少なくとも１つを含むことを特徴とする請求項１２に記載の方法。
【請求項１４】
前記生成されたプログラム及び前記取得されたデータの少なくとも１つを、前記携帯電子デバイスの中で及び前記データネットワークでの少なくとも一方で記憶するステップをさらに含むことを特徴とする請求項１３に記載の方法。
【請求項１５】
請求項８に記載の方法をコンピュータ可読媒体に記憶したコンピュータで実行可能なコンピュータプログラム。
【請求項１６】
携帯電子デバイスのユーザに対話型活動プログラムを供給するシステムであって、
無線通信ネットワークと、
前記無線通信ネットワークと通信可能に接続されたデータネットワークと、
前記無線通信ネットワークを介して前記データネットワークに接続する携帯電子デバイスと、
前記携帯電子デバイスに備えられ、前記データネットワークから受信された、地理的な場所に関連付けられた対話型活動プログラムを前記携帯電子デバイスに供給する対話型プログラム回路と
を備えることを特徴とするシステム。
【請求項１７】
前記対話型プログラム回路は、さらに
前記携帯電子デバイスのユーザからの指示に応じて前記対話型活動プログラムを変更することを特徴とする請求項１６に記載のシステム。
【請求項１８】
前記指示は、音声コマンド及び手動コマンドの少なくとも１つを含み、
前記対話型プログラム回路は、さらに、リアルタイムで前記指示に応じて前記対話型活動プログラムを変更することを特徴とする請求項１７に記載のシステム。
【請求項１９】
前記対話型プログラム回路は、さらに、
前記携帯電子デバイスのユーザと関連付けられたデータを取得し、
前記取得したデータに基づいて前記ユーザへのプログラムを生成することを特徴とする請求項１６に記載のシステム。
【請求項２０】
前記対話型活動プログラムは、前記ユーザのエクササイズ・ルーチンに関連付けられ、
前記取得したデータは、前記エクササイズ・ルーチンのゴール、前記エクササイズ・ルーチンの行路及び位置の少なくとも１つ、前記エクササイズ・ルーチンのエクササイズ・セッションに関連付けられた距離情報、前記エクササイズ・セッションのいずれか１つに関連付けられた継続時間、前記エクササイズ・セッションのいずれか１つに関連付けられた燃焼した熱量、及び、前記エクササイズ・セッションのいずれか１つに関連付けられた日誌記録の少なくとも１つを含むことを特徴とする請求項１９に記載のシステム。
【請求項２１】
前記携帯電子デバイス及び前記データネットワークの少なくとも１つに接続されたメモリをさらに備え、
前記メモリには、前記生成されたプログラム及び前記取得されたデータの少なくとも１つが、前記携帯電子デバイスの中で及び前記データネットワークでの少なくとも一方で記憶されることを特徴とする請求項２０に記載のシステム。
【請求項２２】
前記携帯電子デバイスに接続されたディスプレイをさらに備え、
前記ディスプレイは、前記対話型活動プログラムに関連付けられた動画クリップ及び画像の少なくとも１つを表示することを特徴とする請求項１６に記載のシステム。
【請求項２３】
前記ディスプレイは、前記ユーザによって着用される眼鏡に組み込まれていることを特徴とする請求項２２に記載のシステム。
【請求項２４】
前記ディスプレイは、ＷＩＦＩ、ブルートゥース及びＺＩＧＢＥＥの少なくとも１つを用いて前記携帯電子デバイスに無線接続されることを特徴とする請求項２２に記載のシステム。
【請求項２５】
前記携帯電子デバイスに接続された１組のヘッドフォンをさらに備え、
前記ヘッドフォンは、前記対話型活動プログラムに関連付けられた音声信号の通信を行うことを特徴とする請求項１６に記載のシステム。
【請求項２６】
前記ヘッドフォンは、ＷＩＦＩ、ブルートゥース及びＺＩＧＢＥＥの少なくとも１つを用いて前記携帯電子デバイスに無線接続されることを特徴とする請求項２５に記載のシステム。
【発明の詳細な説明】
【技術分野】
【０００１】
本発明は携帯電子デバイスに関するものである。より詳細には、データネットワークと通信可能な携帯電子デバイスと、関連する方法及びコンピュータプログラムとに関するものである。
【背景技術】
【０００２】
近年、携帯通信の分野において、機能が増加されている。コードレス電話機やセル方式の電話機、ページャ、無線モデム、無線Ｅメール装置、通信機能のある携帯情報端末（ＰＤＡ）、ＭＰ３プレーヤ、その他の携帯通信デバイス、のような携帯通信デバイスは、より一般的になってきている。これらの携帯通信デバイスのいくつかは、無線通信ネットワークを通じて、例えばインターネットのようなデータネットワークと通信するように構成されている。したがって、これらの携帯通信デバイスのユーザは、携帯通信デバイスを用いてインターネットに接続して、その中にある情報を取得することができる。例えば、音楽がダウンロードされて携帯通信デバイスに記憶されてもよいし、又は、ダウンロードしているときにリアルタイムで聴くこともできる。
【発明の開示】
【発明が解決しようとする課題】
【０００３】
本発明のいくつかの実施形態は、携帯電子デバイスのユーザに対話型活動（インターラクティブ・アクティビティ）プログラムを供給するための方法、システム、デバイス、及びコンピュータプログラムを提供する。
【課題を解決するための手段】
【０００４】
携帯電子デバイスは、無線通信ネットワークを用いてデータネットワークに接続される。対話型活動プログラムはデータネットワークから受信されて携帯電子デバイスに供給される。対話型活動プログラムは、地理的な場所に関連付けられる。
【０００５】
本発明のさらなる実施形態では、対話型活動プログラムが、携帯電子デバイスのユーザの指示（コマンド）に応じて変更されてもよい。コマンドは、音声のコマンド、及び、手動のコマンドの少なくとも１つを含んでよい。本発明のある実施形態では、対話型活動プログラムがコマンドに応じてリアルタイムで変更されてもよい。
【０００６】
本発明のさらなる実施形態では、携帯電子デバイスは、第１の携帯電子デバイスであってもよい。第２の携帯電子デバイスが無線通信ネットワークを用いてデータネットワークに接続され、そして、対話型活動プログラムがデータネットワークから、第１の携帯電子デバイス及び第２の携帯電子デバイスに同時に供給されてもよい。
【０００７】
本発明のいくつかの実施形態では、携帯電子デバイスのユーザに関連付けられたデータを取得し、プログラムが、その取得されたデータに基づいてユーザに対して生成されてもよい。対話型活動プログラムがユーザのエクササイズ・ルーチンに関連付けられてもよい。取得されたデータは、エクササイズ・ルーチンのゴール（目的）、エクササイズ・ルーチンの行路（ルート）及び／又は位置（場所）、エクササイズ・ルーチンのエクササイズ・セッションに関連付けられた距離情報、それぞれのエクササイズ・セッションに関連付けられた継続時間、それぞれのエクササイズ・セッションに関連付けられて燃焼した熱量、及び、それぞれのエクササイズ・セッションに関連付けられた日誌記録の少なくとも１つを含んでもよい。
【０００８】
本発明のさらなる実施形態では、生成されたプログラム及び／又は取得されたデータは、携帯電子デバイスの中に及び／又はデータネットワーク上に記憶されてもよい。
【発明を実施するための最良の形態】
【０００９】
本発明の個々の典型的な実施形態を添付の図面を参照しながら説明する。しかし、本発明は、多くの異なる形で実施されてもよく、ここに示した実施形態に限定されると解釈されるべきではない。むしろ、これらの実施形態は、この開示を徹底的かつ完全なもとして、当業者に対して本発明の範囲を十分に伝えるために提供されているものである。添付の図面に描かれた個々の典型的な実施形態に対する詳細な説明の中で用いられている用語は、本発明を限定する意図を持たない。図面の中では、同一の番号は同様の構成要素を表している。
【００１０】
ここで用いられている単数形「１つの（ａ）」、「１つの（ａｎ）」、及び、「その（ｔｈｅ）」は、単数形であることを明確に述べている場合を除いて、複数形をも含んでいる。さらに以下のことが理解されるであろう。即ち、「含む」、「備える」、「含んでいる」、及び／又は、「備えている」は、本明細書においてそれらを用いるときには、言及する特徴、統体、工程、操作、構成要素、及び／又は、構成素子の存在を明示するものであるが、１つ以上のその他の特徴、統体、工程、操作、構成要素、構成素子、及び／又は、それらの組み合わせ、の存在又は追加を排除するものではない。また、ある構成要素が他の構成要素に「接続される」、又は、「結合される」と表現されるときは、他の構成要素に直接に接続される、又は、結合されることができるし、又は介入する構成要素があってもよいと理解されるであろう。さらに、ここで用いられている「接続される」、又は、「結合される」は、無線によって接続される、又は、結合される場合を含んでよい。ここで用いられている「及び／又は」は、関連して列挙した項目の１つ以上のいずれかの組み合わせ、及び、全ての組み合わせを含む。
【００１１】
ここで用いられている全ての用語（技術用語と科学用語を含む）は、別段に定義をしていない限り、本発明が属する技術分野の通常の当業者によって共通に理解される意味と同じ意味を持っている。共通に使用されている辞書の中で定義されている用語のような用語については、以下の点がさらに理解されるであろう。即ち、関連する技術の表現の中で用いられる意味に矛盾しない意味を持つと解釈されるべきであること、また、この中でそのように明確に定義をしない限り、理想化した、又は極度に形式的な意味を持つと解釈されてはならないことである。
【００１２】
ここで用いている「携帯電子デバイス」は、送信能力のない無線信号受信機のみを備える装置と、双方向通信リンクを通じて双方向通信の能力を有する送受信のハードウェアを備える装置の両方を含む。そのような装置は、セルラ通信装置又はその他の通信装置で、マルチライン表示デバイスを持つものと持たないものを含んでよい。これらの装置には、音声処理とデータ処理、ファクシミリ、及び／又は、データ通信の機能、を組み合わせることもできるパーソナルコミュニケーションシステム（ＰＣＳ）端末、無線周波数受信機とページャ、インターネット／イントラネットへの接続、ウェブブラウザ、オーガナイザ、カレンダ及び／又は全地球測位システム（ＧＰＳ）受信機を含むことができる携帯情報端末（ＰＤＡ）、及び／又は、従来のラップトップ及び／又はパームトップのコンピュータ又はその他の機器で無線周波数受信機を含むものがある。ここで用いている「携帯電子デバイス」は、携帯可能な装置、又は、搬送可能な装置、又は、乗り物（航空機、船舶、地上車両）の中に装備された装置、又は、地球上又は宇宙空間における装置であってよい。地球上又は宇宙空間における装置は、局地的に及び／又はいずれの場所に分布する状態で、設置されて及び／又は構成されて動作する装置、であってよい。
【００１３】
図１乃至図５に関して以下で説明するように、本発明の実施形態は、１つ以上の携帯電子デバイスのユーザに対して、対話型活動プログラムを供給するための方法、装置、システム、及び、コンピュータプログラムを提供するものである。ここで用いる「対話型活動プログラム」は、携帯電子デバイス上で実行されるように構成されたプログラムのことを示し、音響及び／又は映像による娯楽及び／又は教育を、携帯電子デバイスのユーザに対して供給するものである。対話型活動プログラムは、例えば、ロンドン、山岳地帯、地方の遊歩道などの地理的な場所に関連付けられる。
【００１４】
例えば、本発明のいくつかの実施形態に係る対話型活動プログラムは、ユーザのある練習（エクササイズ）ルーチンに関連付けられてもよい。対話型活動プログラムは、エクササイズ・ルーチン又はそのセッションをより興味深く、かつより教育的なものにするために用いられてもよい。特に、本発明のいくつかの実施形態に係る対話型活動プログラムは、例えば、アルプスを通る遊歩道を模擬するものであってもよい。このように、本発明のいくつかの実施形態によれば、携帯電子デバイスのユーザは、ノースカロライナのローリー（Ｒａｌｅｉｇｈ）の街を歩いているにもかかわらず、アルプスの遊歩道の詳細情報を聴くことができる。ユーザはローリーを離れることなく世界旅行者になったことになる。本発明のいくつかの実施形態においては、音響旅行を補強するために、クリップ映像や画像を供給してもよい。これに関してはより詳細に後述する。このように、本発明のいくつかの実施形態によれば、携帯電子デバイスは、ユーザのエクササイズ体験を増強するために用いられてもよい。これについては、図１乃至図５を参照して以下でより詳細に説明する。
【００１５】
最初に図１を参照する。図１は、本発明のいくつかの実施形態に係る対話型活動回路を含む携帯電子デバイス２２を示すブロック図である。図１には携帯電子デバイス２２と無線通信ネットワーク２０の基地局トランシーバ２４とが示されている。無線技術の進展とともに「無線通信ネットワーク」も進展すると理解されるであろう。ここで用いられる「無線通信ネットワーク」は、従来の意味での種々の無線接続技術、無線ローカルエリアネットワーク（ＬＡＮ）、又は、無線パーソナルエリアネットワークのことを示すとしても、本発明の教示するところから逸脱はしない。これらのネットワークは、例えば、符号分割多元接続（ＣＤＭＡ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、汎用パケット無線サービス（ＧＰＲＳ）、ＧＳＭ（グローバル・システム・フォー・モバイル・テレコミュニケーション）、高速ダウンリンクパケット接続（）（ＨＳＤＰＡ）、高速アップリンクパケット接続（）（ＨＳＵＰＡ）、汎用モバイル通信システム（）（ＵＭＴＳ）、広帯域符号分割多元接続（Ｗ−ＣＤＭＡ）及び／又はＷＣＤＭＡ＋ＥＤＧＥ（ＷＥＤＧＥ）、といった無線接続技術、及び／又は、ＷｉＦｉ（Ｗｉｒｅｌｅｓｓ  Ｆｉｄｅｌｉｔｙ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線ローカルエリアネットワーク（ＷＬＡＮ）を含んでもよい。
【００１６】
本発明のいくつかの実施形態によれば、無線接続技術、及び／又は、ＷＬＡＮが、図１に示す携帯電子デバイス２２と無線通信ネットワーク２０との間の接続媒体として用いられてよい。例えば、携帯電子デバイス２２が、データネットワークに対して、ＵＭＴＳ、ＧＳＭ、ＥＤＧＥ、ＧＰＲＳ、ＷＥＤＧＥ、ＣＤＭＡ、ＷＣＤＭＡ、ＨＳＤＰＡ、ＨＳＵＰＡ、ＷＩＦＩ、ＷｉＭＡＸ、などを介して接続されても、本発明の範囲から逸脱するものではない。
【００１７】
携帯電子デバイス２２は、携帯筐体２３を含む。また、キーボード２６、ディスプレイ２８、スピーカ３２、マイクロフォン３４、送受信機（トランシーバ）３６、及び、メモリ３８を含んでもよい。これらは、いずれも、コントローラ（プロセッサ）４２と通信を行うことができる。さらに、携帯電子デバイス２２は、本発明のいくつかの実施形態によれば、対話型活動回路２９と音声起動回路３１とを含み、これらもまた、プロセッサ４２と通信を行う。プロセッサ４２は市販で得られるいずれのマイクロプロセッサ、又は、カスタムマイクロプロセッサであってよい。
【００１８】
図では対話型活動回路２９が携帯電子デバイス２２の中に示されているが、本発明の実施形態がこの構成に限定されないことが理解されるであろう。例えば、対話型活動回路２９は、データネットワークの中に設置されてもよいし、データネットワークと携帯電子デバイス２２とに分離されて設置されてもよい。さらに、図１では、対話型活動回路２９と音声起動回路３１とが分離された回路として示されているが、本発明の実施形態はこの構成に限定されるものではない。例えば、対話型活動回路２９と音声起動回路３１とが組み合わされてもよいし、それは本発明の範囲から逸脱はしない。
【００１９】
送受信機３６は、典型的には、送信機回路４４と受信機回路４６とを含む。送信機回路４４は、無線周波数信号出力を基地局トランシーバ２４に送信し、受信機回路４６は、音声呼やデータ信号のような無線周波数信号入力を、基地局トランシーバ２４からアンテナ４８を介して受信する。アンテナ４８は、埋め込み式のアンテナ、格納式のアンテナ、又は、当業者に知られているいずれのアンテナでもよく、これらは本発明の範囲から逸脱するものではない。携帯電子デバイス２２と基地局トランシーバ２４との間に伝送される無線周波数信号は、トラフィック信号と制御信号（例えば、入力呼に対するページング（呼び出し）の信号／メッセージ）の両方を含んでよく、これらは、他のパーティとの音声呼の通信の確立と保持、又は、遠隔にある装置との間の、Ｅメール又はＭＭＳメッセージのようなデータの送信及び／又は受信に用いられる。プロセッサ４２は、携帯電子デバイス２２の種々の機能をサポートしてよい。これらの機能には、本発明のいくつかの実施形態に係る携帯電子デバイス２２の対話型活動回路２９に関連する機能が含まれる。
【００２０】
本発明のいくつかの実施形態においては、基地局トランシーバ２４は、セルラネットワークにおけるセルを決定し、無線リンクプロトコルを用いて、セル内の携帯電子デバイス２２及び他の携帯電子デバイスと通信を行う無線トランシーバである。図１には１つの基地局トランシーバ２４が示されているだけであるが、多くの基地局トランシーバが、例えば、モバイル交換センタや他の装置を通じて接続されてもよく、これらにより無線通信ネットワークが決定されると理解されるであろう。
【００２１】
送受信機３６は無線通信ネットワーク２０を用いてデータネットワークと通信するように構成されている。本発明の実施形態に係る対話型活動回路２９は、携帯電子デバイスに対して、地理的な場所に関連付けられた対話型活動プログラムを供給するように構成される。地理的な場所は、例えば、ロンドンとか、アルプスとか、地方の遊歩道などを含んでよい。ここで用いる「地理的な場所」とは、ロンドンのような個々の地理的な場所、及び、プールや公園のような包括的表現による地理的な場所の両方を示している。本発明のいくつかの実施形態に係る対話型活動回路２９を含む携帯電子デバイス２２のユーザは、練習（エクササイズ）を行いながら、その携帯電子デバイス２２を用いて娯楽／教育を与えられてもよい。この娯楽／教育は、音響及び／又は映像の形で供給されてもよい。例えば、本発明のいくつかの実施形態においては、対話型活動プログラムは、ロンドンの徒歩旅行であってもよい。ユーザは、自分の町の通りを歩きながら、まさに、ロンドンのいろいろな場所の説明を聞くことができるのである。本発明のいくつかの実施形態においては、この徒歩旅行に、ロンドンのクリップ映像及び／又は画像が付け加えられてもよい。音響及び／又は映像を配信する方法に関する詳細は後述する。
【００２２】
したがって、町歩きは、町の見所、歴史、文化、料理、及び、町のその他の興味ある事柄を供給してもよい。郊外のハイキングは、その地方の言い伝えや、その土地固有の植物、エキゾチックな鳥、特徴のある動物などの自然環境を取り上げてもよい。クロスカントリー走行は、道標、その土地の人々、その土地の歴史や、現状の事柄を取り上げてもよい。
【００２３】
対話型活動プログラムは、ブロードキャストなどによって、リアルタイムでデータネットワークからダウンロードして、小さな外部装置の上に載せて携帯電子デバイスに記憶してもよい。この外部装置としては、例えば、ＵＳＢ（Ｕｎｉｖｅｒｓａｌ  Ｓｅｒｉａｌ  Ｂｕｓ）ドライブ、コンパクトフラッシュ（登録商標）、マイクロドライブ、マルチメディアカード、ＳＤ（Ｓｅｃｕｒｅ  Ｄｉｇｉｔａｌ）カード、メモリスティックなどがある。本発明のいくつかの実施形態においては、ユーザは、他の異なる対話型活動プログラムを利用できるサービスに加入することもできる。このサービスは、例えば、オンラインの音楽店のような働きをすることもできるだろう。ユーザは月々の会費を払えば、複数の対話型活動プログラムに接続することができる。このように、もし、ユーザがロンドンに飽きたなら、他の都市を選択することもできるし、他の活動を選択することもできるであろう。
【００２４】
本発明のいくつかの実施形態においては、対話型活動回路２９は、携帯電子デバイス２２のユーザからのコマンドに応じて対話型活動プログラムを変更するように、さらに構成されていてもよい。例えば、もし対話型活動プログラムがロンドンの徒歩旅行を供給していて、ロンドンのある通りを歩いている途中であるとすれば、携帯電子デバイスのユーザは、そのプログラムに異なる通りを歩くように指示をすることもできる。ユーザは、ユーザコマンドを用いて対話型活動プログラムに命令してもよい。ユーザコマンドは、例えば、キーパッド２６のようなマン・マシン・インタフェース（ＭＭＩ）を用いて、携帯電子デバイスに物理的に入力してもよい。さらに、本発明のいくつかの実施形態においては、携帯電子デバイス２２は音声起動回路３１を含んでもよい。図１に示すように、音声起動回路３１は、コントローラ４２を通して、対話型活動回路２９に接続されてもよい。このように、音声起動回路３１を含む本発明の実施形態においては、ユーザは、ユーザコマンドを口頭で与えることができる。ユーザにより入力された、又は口頭によるコマンドにより、対話型活動プログラムをリアルタイムで変更してもよい。このように、例えばブックオンテープ（録音書籍）と異なり、ユーザには、ユーザにとってより興味のある経験を作り出すべく、動作中に対話型活動プログラムの変更をする能力が与えられる。
【００２５】
音声起動回路３１がユーザの声を認識して、周囲の雑音ばかりでなく他の人の声からユーザの声を区別するためには、ユーザは、ある限られた数のコマンドを携帯電子デバイスの中にプログラムしなければならないことがあると理解されるであろう。１つの携帯電子デバイス２２が２人以上のユーザの声を認識するようにプログラムされる場合もあってよく、これも本発明の範囲から逸脱するものではないと理解されるであろう。さらに、図１では音声起動回路３１が対話型活動回路２９から分離されて示されているが、これらの機能が組み合わせられても本発明の範囲からは逸脱しない。
【００２６】
対話型活動プログラムは、モバイルデバイスの中に事前にプログラムされていてもよいし、カスタムプログラムでもよい。これらは本発明の範囲から逸脱するものではない。例えば、対話型活動回路が、モバイルデバイスのユーザに関連付けられたデータ、例えば、体重の減量、山について学ぶ、スペインについて学ぶ、などといったゴール（目的）のようなデータを取得してもよい。対話型活動回路２９はさらに、例えば、取得されたデータに基づくユーザのエクササイズ・ルーチンのような、カスタム化された活動プログラムを生成してもよい。例を挙げれば、もしユーザがイエローストン公園を３週間で走り抜けたいとすれば、プログラムは、ユーザがこのゴールを達成できるための行路（ルート）と距離とを設定してもよい。
【００２７】
このように、対話型活動プログラムは、ユーザのエクササイズ・ルーチンに関連付けられる。対話型活動プログラムがユーザのエクササイズ・ルーチンに関連付けられている本発明の実施形態においては、取得されたデータは以下のものを含んでよい。しかしこれらに限定されることはない。これらは、エクササイズ・ルーチンのゴール、エクササイズ・ルーチンの行路及び／又は場所、エクササイズ・ルーチンのエクササイズ・セッションに関連付けられた距離の情報、それぞれのエクササイズ・セッションに関連付けられた継続時間の情報、それぞれのエクササイズ・セッションに関連付けられて燃焼される熱量、及び／又は、それぞれのエクササイズ・セッションに関連付けられた日誌記録である。もしユーザがゴールを設定してそのゴールを達成したならば、対話型活動回路２９は、ユーザがゴールを達成したことに対する報奨として賞又は記念品を与えてもよい。本発明のいくつかの実施形態においては、ユーザは、ユーザの情報をネットワーク上で利用できるようにすることにより、他のユーザと競技をしてもよい。競技の勝者には、賞が授与されてもよい。
【００２８】
生成されたプログラム、及び／又は、取得されたデータは、携帯電子デバイス２２のメモリ３８の中に、及び／又は、データネットワークで記憶されてもよい。このメモリは対話型活動プログラムに関連付けられる。例えば、ユーザは自分の特定のエクササイズ・セッションの詳細情報を含むエクササイズ日誌を記録しておくこともできる。最も直近のセッションに関連した日誌記録が携帯電子デバイス２２に記憶されてもよいし、そして、より以前の記録がネットワークに記憶されて、携帯電子デバイス２２の中のメモリを解放するようにしてもよい。新規な記録が加えられるときには、日誌記録が、携帯電子デバイスのメモリ３８からネットワークの上のメモリに、自動的に移動されてもよい。例えば、最近の１０項目の記録が携帯電子デバイス２２に記憶されてもよい。
【００２９】
本発明のいくつかの実施形態においては、２人以上のユーザが地理的に離れた場所、例えば、異なる海岸にいて、ロンドンへの旅行の同じ対話型活動プログラムを、同時に用いてもよい。これらのユーザは、携帯電子デバイスの、電話機、会議呼、及び／又は、ＩＰマルチメディアサブシステム（ＩＭＳ）の機能を利用して、ロンドンの旅行中に互いに話をすることができる。
【００３０】
本発明のいくつかの実施形態においては、対話型活動プログラムは教育的な側面を有してもよい。例えば、スペインへの旅行は、スペインの歴史、文化、料理に関する情報を含んでよい。さらに、スペイン語の練習さえも含んでよい。プログラムは対話型であり、従って、本発明のいくつかの実施形態においては、対話型活動プログラムは、ユーザに話をし、ユーザから聴き、ユーザと会話をするように構成される。上述したように、本発明のいくつかの実施形態においては、対話型活動回路２９は、ディスプレイと通信を行うように構成されていて、クリップ映像や画像が供給されて音響による旅行に付け加えられてもよい。
【００３１】
より詳細に説明すれば、対話型活動回路２９は、例えば、ヘッドフォンやディスプレイのような外部装置２５と接続（結合）されてもよい。ヘッドフォンは携帯電子デバイスと物理的に結合されてもよい。本発明のいくつかの実施形態においては、対話型活動回路２９は、例えば、ブルートゥース（登録商標）トランシーバ、ＷＩＦＩトランシーバ、又は、ＺＩＧＢＥＥトランシーバのような、短距離トランシーバを含むように構成されてもよい。本発明のこれらの実施形態において、ヘッドフォンは、短距離トランシーバを用いて携帯電子デバイスと通信してもよい。同様に、ディスプレイは、携帯電子デバイス２２と物理的に接続されてもよいし、又は、短距離トランシーバを用いて携帯電子デバイス２２と通信してもよい。本発明のいくつかの実施形態においては、ディスプレイは従来のディスプレイでよいし、又は、サングラス（眼鏡）の中に組み込まれてもよい。
【００３２】
本発明のいくつかの実施形態においては、対話型活動回路２９は、万歩計（登録商標）や走行距離計の機能を含んでもよい。本発明のこれらの実施形態においては、携帯電子デバイスはユーザが、歩いたり、走ったり、自転車で走った距離を追跡してもよい。外部の万歩計や走行距離計を、本発明の実施形態に係る携帯電子デバイス２２と組み合わせて用いて、同様の機能を提供することができると理解されるであろう。本発明のいくつかの実施形態は、個人的なトレーナの機能を含んでもよい。例えば、万歩計、及び／又は、走行距離計がユーザのゴールが達成されたことを示すときに、ユーザを激励し、そして達成を祝って、マルチメディアメッセージングサービス（ＭＭＳ）のメッセージ又はショートメッセージサービス（ＳＭＳ）のメッセージがユーザに送信されてもよい。
【００３３】
ここでは、本発明のいくつかの実施形態が、ユーザが歩いているか、走っているか、又は自転車に乗っているときに用いられるものとして説明したが、本発明の実施形態はこの構成に限定されるものではないと理解されるであろう。例えば、もし、携帯電子デバイスが防水機能を持っていれば、対話型活動回路は海での水泳を模擬するのに用いられてもよい。このときプログラムの音響部分は海の魚や植物の情景を描くこともできるであろう。さらに、本発明のいくつかの実施形態に係る対話型活動回路２９は、例えば、ニューヨークマラソンやツールドフランスなどのようなスポーツイベントを模擬するのに用いられても、本発明の範囲から逸脱はしない。
【００３４】
図２を参照して、本発明のいくつかの実施形態に係る携帯電子デバイスを含むシステムについて説明する。図２に示すように、システム２００は、携帯電子デバイス２２２、データネットワーク２３０、ユーザ情報２１５を記憶するクライアント装置２２０、及び、例えばヘッドフォン２５０とディスプレイ２５２のような外部装置２２５を含む。システムの構成要素のうち１つ以上の構成要素を省いても、本発明の範囲から逸脱するものではないと理解されるであろう。例えば、システム２００は、ディスプレイ２５２がなくとも立派に動作することができるであろう。
【００３５】
携帯電子デバイス２２２は、図１を参照して説明したように、対話型活動回路２９を含む携帯電子デバイスであってよい。携帯電子デバイス２２２は、無線通信システムを通じてデータネットワーク２３０と通信を行う。ディスプレイ２５２は、携帯電子デバイスと物理的に結合されてもよいし、又は、ブルートゥース（登録商標）、ＷＩＦＩ、又はＺＩＧＢＥＥのような短距離トランシーバを用いて結合されてもよい。ディスプレイ２５２は、音響による、例えばロンドンの旅行を補強するためのクリップ映像や画像を供給してもよい。本発明のいくつかの実施形態においては、ディスプレイ２５２は、家の外でエクササイズをしているときに、クリップ映像、及び／又は、画像を見ることができるように、半透明のサングラスに組み込まれてもよい。これは、テレビの前でトレッドミルの上に乗っているようなものではない。これらの画像は、例えばトレッドミルの上でのエクササイズの時に用いるような、従来の端末で表示してもよいと理解されるであろう。
【００３６】
ヘッドフォン２５０もまた、携帯電子デバイス２２２と物理的に結合されてもよいし、又は、短距離トランシーバを用いて結合されてもよい。ヘッドフォン２５０は、本発明にとって必ずしも必要な要素ではないと理解されるであろう。例えば、ユーザは、音響によるロンドン旅行を、携帯電子デバイス２２２に既に装備されているスピーカ３２（図１）を通じて聴くこともできるであろう。しかしながら、ヘッドフォン２５０は、例えば、背景雑音から信号を防御することにより、情報を聞きとりやすくすることができる。
【００３７】
上述したように、ユーザ情報は、携帯電子デバイスの空きメモリを保持するためにネットワーク２３０で記憶されてもよい。例えば、ユーザ情報２１５は、ネットワーク２３０に結合したクライアント装置２２０に記憶されてもよい。ユーザ情報は以下のものを含んでよい。しかしこれらに限定されることはない。これらのユーザ情報は、エクササイズ・ルーチンのゴール、エクササイズ・ルーチンの行路及び／又は場所、エクササイズ・ルーチンのエクササイズ・セッションに関連付けられた距離の情報、それぞれのエクササイズ・セッションに関連付けられた継続時間の情報、それぞれのエクササイズ・セッションに関連付けられて燃焼される熱量、及び／又は、それぞれのエクササイズ・セッションに関連付けられた日誌記録である。
【００３８】
図３乃至図５を参照して、本発明のいくつかの実施形態に係る携帯電子デバイスの操作について説明する。まず、図３を参照すると、操作はブロック３００から開始される。ブロック３００では、無線通信ネットワークを用いて携帯電子デバイスをデータネットワークに接続する。データネットワークから受信した対話型活動プログラムは、携帯電子デバイスに供給される（ブロック３１０）。上述したように、対話型活動プログラムは、例えば、町の通り、スペイン、ニューヨークシティなどといった地理的な場所に関連付けられている。本発明のいくつかの実施形態によれば、対話型活動プログラムは、音響及び／又は、映像を用いて供給されてもよい。
【００３９】
音響は、携帯電子デバイスの中に既に備えられているスピーカを用いて供給されてもよい。或いは、いくつかの実施形態においては、ユーザはヘッドフォンを用いてもよい。ヘッドフォンは携帯電子デバイスに直接にプラグで差し込むことでもよいし、又は、例えば、ブルートゥース（登録商標）、ＷＩＦＩ若しくはＺＩＧＢＥＥのような、短距離トランシーバを用いて携帯電子デバイスと通信を行ってもよい。同様に、例えば、地理的な場所のクリップ映像や画像のような、ビデオ画像のためのディスプレイは、携帯電子デバイスに直接結合していてもよいし、短距離トランシーバを用いて携帯電子デバイスと通信を行ってもよい。ディスプレイは、設置型の装置を用いてエクササイズする人のための従来のディスプレイでよいし、屋外でエクササイズをする人のためには、例えば、サングラスの中に組み込まれてもよい。
【００４０】
次に図４を参照しながら、本発明のさらなる実施形態に係る携帯電子デバイスのユーザに対して対話型活動プログラムを供給するための操作について説明する。操作は、ブロック４００において、携帯電子デバイスを、無線通信ネットワークを用いてデータネットワークに接続することにより開始される。情報はユーザから取得される（ブロック４０５）。例えば、ユーザ情報は、フィットネスのゴール、エクササイズの継続時間、ユーザが学ぶことに興味を持っている場所のタイプ、などを含んでよい。対話型活動プログラムは、取得されたユーザ情報に基づいて生成されてもよい（ブロック４０７）。例えば、もし、ユーザが米国の都市を希望して、１日の距離約５マイルとして、それを３週間続けて歩きたいとすれば、ロサンゼルスの街の５マイルのブロックを２１日間歩くという徒歩旅行が生成される。ユーザが既にある対話型活動プログラムを選択できるように、デフォルトのプログラムも用意されていてよいと理解されるであろう。取得されたユーザ情報、及び／又は、生成されたプログラムは、携帯電子デバイスに記憶されるか、又は、携帯電子デバイスの中のメモリを節約するためにネットワークの上に記憶されてもよい（ブロック４２０）。
【００４１】
本発明のいくつかの実施形態においては、対話型活動プログラムはユーザのエクササイズ・ルーチンに関連付けられる。本発明のこれらの実施形態においては、ユーザ情報／取得されたデータは、以下のものを含んでよい。すなわち、エクササイズ・ルーチンのゴール、エクササイズ・ルーチンの行路及び／又は場所、エクササイズ・ルーチンのエクササイズ・セッションに関連付けられた距離の情報、それぞれのエクササイズ・セッションに関連付けられた継続時間の情報、それぞれのエクササイズ・セッションに関連付けられて燃焼される熱量、及び／又は、それぞれのエクササイズ・セッションに関連付けられた日誌記録、である。
【００４２】
例えば、ロサンゼルスの徒歩旅行のような、生成された対話型活動プログラムをユーザが開始してから、生成された対話型活動プログラムは、ユーザコマンドに基づいて変更されてもよい（ブロック４３０）。例えば、もし、旅行が進行中でロサンゼルスのある通りを下っているとすれば、ユーザはコマンドを発行することにより旅行を他の通りに変えることもできる。これらのコマンドは、例えば、キーパッドのような、携帯電子デバイスに関連付けられたユーザ入力装置から入力されてもよい。或いは、これらのコマンドは口頭であってもよい。例えば、携帯電子デバイスは、音声認識回路を備えてもよい。音声認識回路は、ユーザの声とあるいくつかのコマンドを認識してもよい。
【００４３】
次に、図５を参照しつつ、本発明のさらなる実施形態に係る操作について説明する。操作はブロック５１５から開始される。ブロック５１５では、第１の携帯電子デバイスと第２の携帯電子デバイスを、無線通信ネットワークを用いてデータネットワークに接続する。対話型活動プログラムは、データネットワークから、第１の携帯電子デバイスと第２の携帯電子デバイスに対して、同時に供給されてもよい（ブロック５２５）。このように、本発明のいくつかの実施形態によれば、２人以上のユーザが別の場所にいて同じ対話型活動プログラムを、同時に用いることができる。携帯電子デバイスのテレビ会議機能を用いることにより、ユーザは、例えば、皆がロンドンの街を共に歩いているかのように、互いに話をすることができる。このように、本発明のいくつかの実施形態によれば、別の海岸にいる２人の姉妹が、ロンドンのことを学びながら、一緒にエクササイズをすることもできる。
【００４４】
いずれかの当業者によって理解されるであろうように、本発明は、方法、装置、システム、又は、コンピュータプログラムとして実施されてよい。したがって、本発明は、完全にハードウェアによる実施形態、ソフトウェアによる実施形態、又は、ソフトウェアとハードウェアの両方の組み合わせによる実施形態、の形態をとり、ここでは、それらが全て、「回路」、又は、「モジュール」と呼ばれている。さらに、本発明は、コンピュータが使用可能な記憶媒体上に載せたコンピュータプログラムの形態をとっていてもよい。このコンピュータが使用可能な記憶媒体は、媒体の中に埋め込まれたコンピュータ使用可能プログラムコードを持っている。ハードディスク、ＣＤ−ＲＯＭ、光学記憶装置、インターネットやイントラネットをサポートするような通信媒体、又は、磁気記憶装置、を含む適当ないずれかのコンピュータ可読媒体が利用されてよい。
【００４５】
本発明の操作を実行するためのコンピュータプログラムコードは、ＪＡＶＡ（登録商標）、Ｓｍａｌｌｔａｌｋ、又は、Ｃ＋＋のような、オブジェクト指向プログラミング言語によって記述されてもよい。しかしながら、本発明の操作を実行するためのコンピュータプログラムコードは、「Ｃ」プログラミング言語、及び／又は、より低レベルのアセンブラ言語のような従来の手続き型プログラミング言語によって記述されてもよい。プログラムコードは、独立型のソフトウェアパッケージとして、完全にユーザのコンピュータ上で、又は一部がユーザのコンピュータの上で実行されてよい。或いは、一部がユーザのコンピュータ上で、一部が遠隔のコンピュータ上で実行されてもよい。或いは、完全に遠隔のコンピュータ上で実行されてもよい。遠隔のコンピュータを用いる場合には、遠隔のコンピュータは、ローカルエリアネットワーク（ＬＡＮ）又は広域ネットワーク（ＷＡＮ）を通じてユーザのコンピュータに接続されてもよい。或いは、当該接続は、外部のコンピュータ（例えば、インターネットサービスプロバイダを用いてインターネットを通じて）に対して行われてもよい。
【００４６】
さらに、一部上記では、本発明の実施形態に係る方法、装置（システム）、及び、コンピュータプログラムのフローチャート、及び／又は、ブロック図を参照して本発明の説明を行った。フローチャート及び／又はブロック図のそれぞれのブロック、及び／又は、フローチャート及び／又はブロック図のブロックの組み合わせは、コンピュータプログラム命令（インストラクション）によって実行することが可能であると理解されるであろう。これらのコンピュータプログラム命令が、一般用途のコンピュータのプロセッサ、特定用途のコンピュータ、又はその他のプログラム可能なデータ処理装置に供給されて、機械（マシーン）が生み出される。これは、コンピュータのプロセッサ又はその他のプログラム可能なデータ処理装置を介して実行される命令が、フローチャートの１つのブロック又は複数のブロック、及び／又は、ブロック図の１つのブロック又は複数のブロックで定義された機能／動作を実行するための手段を作り出すということである。
【００４７】
また、これらのコンピュータプログラム命令は、ある特定な形の機能を行うことをコンピュータ又はプログラム可能なデータ処理装置に対して指令することのできる、コンピュータ可読メモリの中に記憶されてよい。これは、コンピュータ可読メモリの中に記憶された命令が、フローチャートの１つのブロック又は複数のブロック、及び／又は、ブロック図の１つのブロック又は複数のブロックで定義された機能／動作を実行する命令手段を含む製品を生み出すということである。
【００４８】
また、コンピュータプログラム命令は、コンピュータ、又はコンピュータによって実行される処理を作るその他のプログラム可能な装置の上で実行されるべき一連の操作工程を作り出すために、コンピュータ、又は、その他のプログラム可能なデータ処理装置に搭載されてもよい。これは、コンピュータ又はその他のプログラム可能な装置の上で実行される命令によって、フローチャートの１つのブロック又は複数のブロック、及び／又は、ブロック図の１つのブロック又は複数のブロックで定義された機能／動作を実行するための工程が提供されるということである。
【００４９】
図２乃至図４に示すブロック図は、携帯電子デバイスを用いたゲーム資源を補うための方法、システム、及び、コンピュータプログラムの、いくつかの実施形態の構成、機能、及び、操作を示す。したがって、それぞれのブロックは、モジュール、セグメント、又は、コードの部分を表してもよい。そして、それぞれは、ある特定の論理機能を履行するための１つ以上の実行可能な命令を備える。他の実施形態においては、ブロックで示された機能が、図で示された順序とは異なった順序で行われてもよいということも注意が必要である。例えば、関係する機能によっては、続けて実行されるように示されている２つのブロックが、実際には、本質的に同時に実行されてもよいし、それらのブロックは、時には逆の順序で実行されてもよい。
【００５０】
ここに示した図面と明細書では、本発明の典型的な実施形態が開示された。特定の用語が用いられているが、これらは、包括的な、かつ描写的な意味に用いられているだけであり、限定する目的ではない。本発明の範囲は、添付の特許請求の範囲によって定義されるものである。
【図面の簡単な説明】
【００５１】
【図１】本発明のいくつかの実施形態に係る携帯電子デバイスのブロック図と典型的な基地局トランシーバとを示す図である。
【図２】本発明のいくつかの実施形態に係る対話型活動回路を含むシステムのブロック図である。
【図３】、
【図４】、
【図５】本発明の種々の実施形態に係る携帯電子デバイスの操作を示すフローチャートである。
【図１】
2009504082.tif 000003
【図２】
2009504082.tif 000004
【図３】
2009504082.tif 000005
【図４】
2009504082.tif 000006
【図５】
2009504082.tif 000007
【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
携帯電子デバイスであって、
無線ネットワークを用いて、データネットワークと通信を行う送受信機と、
前記データネットワークから受信された、地理的な場所の特定の詳細情報に関連付けられた対話型活動プログラムを前記携帯電子デバイスに供給する対話型プログラム回路と
を備えることを特徴とする携帯電子デバイス。
【請求項２】
前記対話型プログラム回路は、さらに
前記携帯電子デバイスのユーザからの指示に応じて前記対話型活動プログラムを変更することを特徴とする請求項１に記載の携帯電子デバイス。
【請求項３】
前記指示は、音声コマンド及び手動コマンドの少なくとも１つを含み、
前記対話型プログラム回路は、さらに、リアルタイムで前記指示に応じて前記対話型活動プログラムを変更することを特徴とする請求項２に記載の携帯電子デバイス。
【請求項４】
前記対話型プログラム回路は、さらに、
前記携帯電子デバイスのユーザと関連付けられたデータを取得し、
前記取得したデータに基づいて前記ユーザへのプログラムを生成することを特徴とする請求項１に記載の携帯電子デバイス。
【請求項５】
前記対話型活動プログラムは、前記ユーザのエクササイズ・ルーチンに関連付けられ、
前記取得したデータは、前記エクササイズ・ルーチンのゴール、前記エクササイズ・ルーチンの行路及び位置の少なくとも１つ、前記エクササイズ・ルーチンのエクササイズ・セッションに関連付けられた距離情報、前記エクササイズ・セッションのいずれか１つに関連付けられた継続時間、前記エクササイズ・セッションのいずれか１つに関連付けられた燃焼した熱量、及び、前記エクササイズ・セッションのいずれか１つに関連付けられた日誌記録の少なくとも１つを含むことを特徴とする請求項４に記載の携帯電子デバイス。
【請求項６】
前記生成されたプログラム及び前記取得されたデータの少なくとも１つは、前記携帯電子デバイスの中で及び前記データネットワークでの少なくとも一方でメモリに記憶され、
前記メモリは、前記対話型活動プログラムに関連付けられていることを特徴とする請求項５に記載の携帯電子デバイス。
【請求項７】
前記携帯型プログラム回路は、さらに、
音声及び映像の少なくと一方で、地理的な場所に関連付けられた、教育の対話型活動プログラム及び娯楽の対話型活動プログラムの少なくとも１つを供給することを特徴とする請求項１に記載の携帯電子デバイス。
【請求項８】
携帯電子デバイスのユーザに対話型活動プログラムを供給するための方法であって、
無線通信ネットワークを用いて前記携帯電子デバイスをデータネットワークに接続するステップと、
前記データネットワークから受信された、地理的な場所の特定の詳細情報に関連付けられた対話型活動プログラムを前記携帯電子デバイスに供給するステップと
を含むことを特徴とする方法。
【請求項９】
前記携帯電子デバイスのユーザからの指示に応じて前記対話型活動プログラムを変更するステップさらに含むことを特徴とする請求項８に記載の方法。
【請求項１０】
前記指示は、音声コマンド及び手動コマンドの少なくとも１つを含み、
前記対話型活動プログラムを変更する前記ステップは、さらに、リアルタイムで前記指示に応じて前記対話型活動プログラムを変更するステップを含むことを特徴とする請求項９に記載の方法。
【請求項１１】
前記携帯電子デバイスは、第１の携帯電子デバイスを含み、
前記無線通信ネットワークを用いて、少なくとも第２の携帯電子デバイスを前記データネットワークに接続するステップと、
前記第１の携帯電子デバイス及び前記少なくとも第２の携帯電子デバイスに対して、前記データネットワークから前記対話型活動プログラムを同時に供給するステップと
をさらに含むことを特徴とする請求項８に記載の方法。
【請求項１２】
前記対話型活動プログラムを供給する前記ステップは、
前記携帯電子デバイスのユーザと関連付けられたデータを取得するステップと、
前記取得したデータに基づいて前記ユーザへのプログラムを生成するステップと
を含むことを特徴とする請求項８に記載の方法。
【請求項１３】
前記対話型活動プログラムは、前記ユーザのエクササイズ・ルーチンに関連付けられ、
前記取得したデータは、前記エクササイズ・ルーチンのゴール、前記エクササイズ・ルーチンの行路及び位置の少なくとも１つ、前記エクササイズ・ルーチンのエクササイズ・セッションに関連付けられた距離情報、前記エクササイズ・セッションのいずれか１つに関連付けられた継続時間、前記エクササイズ・セッションのいずれか１つに関連付けられた燃焼した熱量、及び、前記エクササイズ・セッションのいずれか１つに関連付けられた日誌記録の少なくとも１つを含むことを特徴とする請求項１２に記載の方法。
【請求項１４】
前記生成されたプログラム及び前記取得されたデータの少なくとも１つを、前記携帯電子デバイスの中で及び前記データネットワークでの少なくとも一方で記憶するステップをさらに含むことを特徴とする請求項１３に記載の方法。
【請求項１５】
請求項８に記載の方法をコンピュータ可読媒体に記憶したコンピュータで実行可能なコンピュータプログラム。
【請求項１６】
携帯電子デバイスのユーザに対話型活動プログラムを供給するシステムであって、
無線通信ネットワークと、
前記無線通信ネットワークと通信可能に接続されたデータネットワークと、
前記無線通信ネットワークを介して前記データネットワークに接続する携帯電子デバイスと、
前記携帯電子デバイスに備えられ、前記データネットワークから受信された、地理的な場所の特定の詳細情報に関連付けられた対話型活動プログラムを前記携帯電子デバイスに供給する対話型プログラム回路と
を備えることを特徴とするシステム。
【請求項１７】
前記対話型プログラム回路は、さらに
前記携帯電子デバイスのユーザからの指示に応じて前記対話型活動プログラムを変更することを特徴とする請求項１６に記載のシステム。
【請求項１８】
前記指示は、音声コマンド及び手動コマンドの少なくとも１つを含み、
前記対話型プログラム回路は、さらに、リアルタイムで前記指示に応じて前記対話型活動プログラムを変更することを特徴とする請求項１７に記載のシステム。
【請求項１９】
前記対話型プログラム回路は、さらに、
前記携帯電子デバイスのユーザと関連付けられたデータを取得し、
前記取得したデータに基づいて前記ユーザへのプログラムを生成することを特徴とする請求項１６に記載のシステム。
【請求項２０】
前記対話型活動プログラムは、前記ユーザのエクササイズ・ルーチンに関連付けられ、
前記取得したデータは、前記エクササイズ・ルーチンのゴール、前記エクササイズ・ルーチンの行路及び位置の少なくとも１つ、前記エクササイズ・ルーチンのエクササイズ・セッションに関連付けられた距離情報、前記エクササイズ・セッションのいずれか１つに関連付けられた継続時間、前記エクササイズ・セッションのいずれか１つに関連付けられた燃焼した熱量、及び、前記エクササイズ・セッションのいずれか１つに関連付けられた日誌記録の少なくとも１つを含むことを特徴とする請求項１９に記載のシステム。
【請求項２１】
前記携帯電子デバイス及び前記データネットワークの少なくとも１つに接続されたメモリをさらに備え、
前記メモリには、前記生成されたプログラム及び前記取得されたデータの少なくとも１つが、前記携帯電子デバイスの中で及び前記データネットワークでの少なくとも一方で記憶されることを特徴とする請求項２０に記載のシステム。
【請求項２２】
前記携帯電子デバイスに接続されたディスプレイをさらに備え、
前記ディスプレイは、前記対話型活動プログラムに関連付けられたクリップ映像及び画像の少なくとも１つを表示することを特徴とする請求項１６に記載のシステム。
【請求項２３】
前記ディスプレイは、前記ユーザによって着用される眼鏡に組み込まれていることを特徴とする請求項２２に記載のシステム。
【請求項２４】
前記ディスプレイは、ＷＩＦＩ、ブルートゥース及びＺＩＧＢＥＥの少なくとも１つを用いて前記携帯電子デバイスに無線接続されることを特徴とする請求項２２に記載のシステム。
【請求項２５】
前記携帯電子デバイスに接続された１組のヘッドフォンをさらに備え、
前記ヘッドフォンは、前記対話型活動プログラムに関連付けられた音声信号の通信を行うことを特徴とする請求項１６に記載のシステム。
【請求項２６】
前記ヘッドフォンは、ＷＩＦＩ、ブルートゥース及びＺＩＧＢＥＥの少なくとも１つを用いて前記携帯電子デバイスに無線接続されることを特徴とする請求項２５に記載のシステム。
【手続補正３】
【補正対象書類名】明細書
【補正対象項目名】０００２
【補正方法】変更
【補正の内容】
【０００２】
近年、携帯通信の分野において、機能が増大されている。コードレス電話機やセル方式の電話機、ページャ、無線モデム、無線Ｅメール装置、通信機能のある携帯情報端末（ＰＤＡ）、ＭＰ３プレーヤ、その他の携帯通信デバイス、のような携帯通信デバイスは、より一般的になってきている。これらの携帯通信デバイスのいくつかは、無線通信ネットワークを通じて、例えばインターネットのようなデータネットワークと通信するように構成されている。したがって、これらの携帯デバイスのユーザは、携帯通信デバイスを用いてインターネットに接続して、その中にある情報を取得することができる。例えば、音楽がダウンロードされて携帯通信デバイスに記憶されてもよいし、又は、ダウンロードしているときにリアルタイムで聴くこともできる。無線でデータネットワークと通信を行う携帯通信デバイスは、米国特許出願公開第２００４／０５３６２５号明細書及び米国特許出願公開第２００４／２０９６００号明細書、並びに、独国特許出願公開第ＤＥ１０１６０５２８Ａ１号明細書に開示されている。これらの開示は、参照することにより、それらの全体を説明したかのようにここに組み込まれる。
【国際調査報告】
2009504082.tif 000008
2009504082.tif 000009
2009504082.tif 000010
2009504082.tif 000011
2009504082.tif 000012
2009504082.tif 000013